(57)【特許請求の範囲】
【請求項１】
カラーネガ画像を光電的に読み取り、得られたカラーネガ画像信号に対して所定の画像処理を施して出力用画像信号を生成するに際し、
前記カラーネガ画像が特定の画像であると指定された時、前記カラーネガ画像信号に対して前記カラーネガ画像の階調を硬調化処理するとともに、硬調化処理の施された前記カラーネガ画像信号に対して、前記カラーネガ画像中の特定の色相を所望の色相に色相変更処理することにより、出力用画像信号を生成することを特徴とする画像処理方法。
【請求項２】
請求項１に記載の画像処理方法であって、
さらに、前記色相変更処理の施された前記カラーネガ画像信号に対してシャープネス強調処理を行うことを特徴とする画像処理方法。
【請求項３】
前記シャープネス強調処理は、アンシャープマスク方式または粒状抑制シャープネス方式を用いて行う請求項２に記載の画像処理方法。
【請求項４】
前記硬調化処理および色相変更処理は、前記カラーネガ画像信号のセットアップ処理を行ったカラーネガ画像信号に施す請求項１〜３のいずれかに記載の画像処理方法。
【請求項５】
前記セットアップ処理は、オートセットアップ処理である請求項４に記載の画像処理方法。
【請求項６】
前記色相変更処理は、前記カラーネガ画像信号のＲＧＢ濃度信号から前記特定色相を抽出し、この特定色相のＲＧＢ濃度信号を疑似的な色相信号、明度信号および彩度信号に変換し、前記色相信号、明度信号および彩度信号の各々の信号の強度を求めた後に前記特定色相の総合強度を算出し、得られた総合強度に予め設定された修正量を加えて特定色相を所望色相に色相変更したＲＧＢ濃度信号を生成する処理である請求項１〜５のいずれかに記載の画像処理方法。
【請求項７】
前記特定の画像は、風景画像である請求項１〜６のいずれかに記載の画像処理方法。
【請求項８】
前記特定の画像の指定は、外部入力によって行う１〜７のいずれかに記載の画像処理方法。
【請求項９】
前記色相変更処理を行う特定色相は空のシアン色であり、前記所望色相はブルー色である請求項１〜８のいずれかに記載の画像処理方法。
【請求項１０】
前記カラーネガ画像信号に対して前記シャープネス強調処理を施す際に、前記カラーネガ画像中の特定色を持つ特定領域の鮮鋭度を低下させる請求項２〜９のいずれかに記載の画像処理方法。
【請求項１１】
前記鮮鋭度を低下させる特定領域の特定色は、空のシアン色および人物の肌色の少なくとも一方である請求項１０に記載の画像処理方法。
【請求項１２】
カラーネガ画像を光電的に読み取って得られたカラーネガ画像信号に対して所定の画像処理を施して出力用画像信号を生成する画像処理装置であって、
前記カラーネガ画像が特定の画像であるか否か指定する指定手段と、
指定された前記カラーネガ画像のカラーネガ画像信号に対して前記カラーネガ画像の階調を硬調化する硬調化処理を行い、かつ硬調化処理の施された前記カラーネガ画像信号に対して前記カラーネガ画像中の特定の色相を所望の色相に変更する色相変更処理を行なう画像処理モードを少なくとも備える画像処理手段と、を有することを特徴とする画像処理装置。
【発明の詳細な説明】
【０００１】
【発明の属する技術分野】
本発明は、カラーネガフィルムに担持されるカラーネガ画像を光電的に読み取ることによって得られたカラーネガ画像信号を可視像として再生するための画像処理方法に関し、特にカラーネガ画像をリバーサルフィルムから得られるカラーリバーサル再生画像のように仕上げる画像処理を施す画像処理方法および画像処理装置に関する。
【０００２】
【従来の技術】
ネガフィルム、リバーサルフィルムあるいはカラープリントなどに記録されたカラー画像を、ＣＣＤなどの光電変換素子によって光電的に読み取り、デジタル信号に変換して、原画像信号として、フレームメモリなどの画像信号記憶手段に記憶し、さらに、画像データ記憶手段に記憶された画像信号に画像処理を施して、カラーペーパーなどの記録材料あるいはＣＲＴなどの表示手段上に再生するデジタルカラー画像再生システムが提案されて、デジタルフォトプリンタとして実用化されている。
このデジタルカラー画像再生システムによれば、カラー画像が、露光不足あるいは露光過剰など、適切でない撮影条件下で撮影され、ネガフィルム、リバーサルフィルムあるいはカラープリントなどに記録されていても、得られた原画像信号に画像処理を施すことにより、所望の色および階調を有するカラー画像として再生することができる。また、ネガフィルム、リバーサルフィルムあるいはカラープリントなどに記録されたカラー画像を、所望により、異なった色および階調を有するカラー画像として再生することもできる。
【０００３】
ところで、カラーリバーサルフィルムから再現されたリバーサルプリントは、カラーネガフィルムから再現されたカラーネガプリントよりも、全体に濃度が高く、階調が硬く、空を真っ青に呈色させ、また、粒状性が良いという特徴を持っている。このような特徴は、風景シーンには好都合である。
このため、カラーネガフィルムから再現されたカラーネガプリントは、リバーサルプリントに比べ、最適に仕上げられたものであっても、風景シーンの表現においては劣ったものとなるという問題があった。
【０００４】
特に、粒状性については、上記のデジタルカラー画像再生システムにおいて、カラーネガプリントよりカラーリバーサルプリントの方が優れている。これは、以下のような理由があるからである。
デジタルカラー画像再生システムでは、カラーネガフィルムやカラーリバーサルフィルムなどの透過フィルムに担持されたカラー画像を透過光でＣＣＤなどの撮像手段を用いて光電的に読み取り、カラー画像信号に変換する必要があるため、透過フィルム上のシャドウ領域からの透過光量は少なく、ＣＣＤなどの撮像手段で得られる読取画像信号は弱いのに対し、ハイライト領域からの透過光量は多く、ＣＣＤなどの撮像手段で得られる読取画像信号は強い。このため、透過フィルム上のハイライト領域からの読取画像信号には、ＣＣＤなどの撮像手段自体のノイズが重畳され難いのに対し、シャドウ領域からの読取画像信号には、ＣＣＤなどの撮像手段自体が持つノイズが重畳され易いという問題がある。
ところが、カラーリバーサルフィルムのシャドウ領域は、カラーリバーサルプリントの領域であり、たとえノイズが重畳されていたとしても元々粒状が目立たない領域であるのに対し、カラーネガフィルムのシャドウ領域は、カラーネガプリントではハイライト領域となるため、読取画像信号に重畳されたノイズが再現されてしまい、粒状性が劣化し、ざらつきが目立ってしまうという問題がある。
【０００５】
このため、上述のデジタルフォトプリンタにおいて、カラーネガフィルムの風景シーンからカラープリントを再生する際に、カラーリバーサルフィルムからのカラーリバーサルプリントのように仕上げられた、すなわちリバーサル調に仕上げられた風景シーンのカラー再生画像を生成することが強く望まれている。
【０００６】
【発明が解決しようとする課題】
本発明の目的は、上記従来技術の問題点を解消し、カラーネガ画像を光電的に読み取り、得られたカラーネガ画像信号にデジタル画像処理を施す際に、カラーネガ画像であっても、風景シーンなどの特定の画像の場合には、風景シーン等の特定な画像に適したリバーサルプリントのように仕上げることができる画像処理方法および画像処理装置を提供することにある。
【０００７】
【課題を解決するための手段】
上記目的を達成するために、本発明は、カラーネガ画像を光電的に読み取り、得られたカラーネガ画像信号に対して所定の画像処理を施して出力用画像信号を生成するに際し、
前記カラーネガ画像が特定の画像であると指定された時、前記カラーネガ画像信号に対して前記カラーネガ画像の階調を硬調化処理するとともに、硬調化処理の施された前記カラーネガ画像信号に対して、前記カラーネガ画像中の特定の色相を所望の色相に色相変更処理することにより、出力用画像信号を生成することを特徴とする画像処理方法を提供するものである。
【０００８】
また、本発明は、上記画像処理方法であって、
さらに、前記色相変更処理の施された前記カラーネガ画像信号に対してシャープネス強調処理を行うことを特徴とする画像処理方法を提供するものである。
ここで、前記シャープネス強調処理は、アンシャープネスマスク方式または粒状抑制シャープネス方式を用いて行うのが好ましい。
【０００９】
上記各態様において、前記硬調化処理および色相変更処理は、前記カラーネガ画像信号のセットアップ処理を行ったカラーネガ画像信号に施すのが好ましく、前記セットアップ処理は、オートセットアップ処理であるのが好ましい。
また、前記色相変更処理は、前記カラーネガ画像信号のＲＧＢ濃度信号から前記特定色相を抽出し、この特定色相のＲＧＢ濃度信号を疑似的な色相信号、明度信号および彩度信号に変換し、前記色相信号、明度信号および彩度信号の各々の信号の強度を求めた後に前記特定色相の総合強度を算出し、得られた総合強度に予め設定された修正量を加えて特定色相を所望色相に色相変更したＲＧＢ濃度信号を生成する処理であるのが好ましい。
【００１０】
また、前記特定の画像は、風景画像であるのが好ましい。
また、前記特定の画像の指定は、外部入力によって行うのが好ましい。
また、前記色相変更処理を行う特定色相は空のシアン色であり、前記所望色相はブルー色であるのが好ましい。
さらに、前記カラーネガ画像信号に対して前記シャープネス強調処理を施す際に、前記カラーネガ画像中の特定色を持つ特定領域の鮮鋭度を低下させるのが好ましく、前記鮮鋭度を低下させる特定領域の特定色は、空のシアン色および人物の肌色の少なくとも一方であるのが好ましい。
さらに、本発明は、カラーネガ画像を光電的に読み取って得られたカラーネガ画像信号に対して所定の画像処理を施して出力用画像信号を生成する画像処理装置であって、前記カラーネガ画像が特定の画像であるか否か指定する指定手段と、指定された前記カラーネガ画像のカラーネガ画像信号に対して前記カラーネガ画像の階調を硬調化する硬調化処理を行い、かつ硬調化処理の施された前記カラーネガ画像信号に対して前記カラーネガ画像中の特定の色相を所望の色相に変更する色相変更処理を行なう画像処理モードを少なくとも備える画像処理手段と、を有することを特徴とする画像処理装置を提供するものである。
【００１１】
【発明の実施の形態】
本発明に係る画像処理方法を添付の図面に示す好適実施の形態に基づいて、以下に詳細に説明する。
【００１２】
図１は、本発明の画像処理方法を実施する画像処理装置を適用するデジタルフォトプリンタの一実施の形態のブロック図である。
図１に示すデジタルフォトプリンタ（以下、フォトプリンタという）１０は、カラーネガフィルムやカラーリバーサルフィルムなどのフィルムＦに撮影された画像を光電的に読み取るスキャナ（画像読取装置）１２と、このスキャナ１２で読み取られた画像データ（画像情報）の画像処理、例えば、カラーネガ画像の風景シーンなどの特定画像をリバーサル調に仕上げる画像処理などやフォトプリンタ１０全体の操作および制御等を行う画像処理装置１４と、この画像処理装置１４から出力された画像データに応じて変調した光ビームで感光材料（印画紙）を画像露光し、現像処理して（仕上げて）、リバーサル調に仕上げられた画像をもつカラーネガプリントとして出力する画像記録装置１６とを有する。
また、画像処理装置１４には、風景シーンなどの特定画像（以下、風景シーンともいう）の指定等の様々な条件の入力、設定、処理の選択や指示、色／濃度補正などの指示等を入力するためのキーボード１８ａ、マウス１８ｂおよびカラーネガ画像のリバーサル調仕上げ処理をする風景シーン等の特定画像を指示するためのボタン１８ｃを有する操作系１８と、スキャナ１２で読み取られた画像、各種の操作指示、様々な条件の設定／登録画面等を表示するモニタ２０が接続される。
【００１３】
スキャナ１２は、フィルムＦ等に撮影された画像を１コマずつ光電的に読み取る装置で、光源２２と、可変絞り２４と、フィルムＦに入射する読取光をフィルムＦの面方向で均一にする拡散ボックス２６と、フィルムＦのキャリア２８と、結像レンズユニット３２と、Ｒ（赤）、Ｇ（緑）およびＢ（青）の各色画像濃度の読取に対応する３ラインＣＣＤセンサを有するイメージセンサ３２と、アンプ（増幅器）３３と、Ａ／Ｄ（アナログ／デジタル）変換器３４とを有する。
フォトプリンタ１０においては、スキャナ１２の本体に装着自在な専用のキャリア２８が、新写真システム（Ａｄｖａｎｃｅｄ  Ｐｈｏｔｏ  Ｓｙｓｔｅｍ）や１３５サイズのカラーネガフィルム（あるいはカラーリバーサルフィルム）等のフィルムＦの種類やサイズ、ストリップスやスライド等のフィルムの形態等に応じて用意されており、キャリア２８の交換によって、各種のフィルムや処理に対応することができる。フィルムに撮影され、プリント作成に供される画像（コマ）は、このキャリア２８によって所定の読取位置に搬送される。
【００１４】
また、周知のように、新写真システムのフィルムには、磁気記録媒体が形成され、カートリッジＩＤやフィルム種等が記録されており、また、撮影時や現像時等に、撮影日時や現像日時、風景シーンなどの撮影シーン、各種行事などのタイトル、カメラや現像機の機種等の各種のデータが記録可能である。新写真システムのフィルム（カートリッジ）に対応するキャリア２８には、この磁気情報の読取手段が配置されており、この読取手段によってフィルムＦを読取位置に搬送する際に磁気情報が読み取られ、これらの各種の情報、従って、風景シーンや風景シーンを撮影する行事のタイトル等の情報が画像処理装置１４に送られる。
このようなスキャナ１２において、フィルムＦに撮影された画像を読み取る際には、光源２２から射出され、可変絞り２４および拡散ボックス２６によって光量調整された均一な読取光が、キャリア２８によって所定の読取位置に位置されたフィルムＦに入射して、透過することにより、フィルムＦに撮影された画像を担持する投影光を得る。
【００１５】
図示例のキャリア２８は、２４枚取りの１３５サイズのフィルムや新写真システムのカートリッジ等の、長尺なフィルムＦ（ストリップス）に対応するものであり、図２（ａ）に模式的に示されるように、所定の読取位置にフィルムＦを位置しつつ、イメージセンサ３２の、例えば、ＲＧＢの３ラインＣＣＤセンサの延在方向（主走査方向）と直交する副走査方向に、フィルムＦの長手方向を一致させて搬送する、読取位置を副走査方向に挟んで配置される搬送ローラ対２８ａおよび２８ｂと、フィルムＦの投影光を所定のスリット状に規制する、読取位置に対応して位置する主走査方向に延在するスリット２８ｃを有するマスク２８ｄとを有する。
フィルムＦは、このキャリア２８によって読取位置に位置されて副走査方向に搬送されつつ、読取光を入射される。これにより、結果的にフィルムＦが主走査方向に延在するスリット２８ｃによって２次元的にスリット走査され、フィルムＦに撮影された各コマの画像が読み取られる。
【００１６】
フィルムＦの投影光は、結像レンズユニット３０によってイメージセンサ３２の受光面に結像される。
図２（ｂ）に示されるように、イメージセンサ３２は、Ｒ画像の読み取りを行うラインＣＣＤセンサ３２Ｒ、Ｇ画像の読み取りを行うラインＣＣＤセンサ３２Ｇ、およびＢ画像の読み取りを行うラインＣＣＤセンサ３２Ｂを有する、いわゆる３ラインのカラーＣＣＤセンサで、各ラインＣＣＤセンサは、前述のように主走査方向に延在している。フィルムＦの投影光は、このイメージセンサ３２によって、Ｒ、ＧおよびＢの３原色に分解されて光電的に読み取られる。
イメージセンサ３２から出力されたＲ，ＧおよびＢの各出力信号は、アンプ３３で増幅されて、Ａ／Ｄ変換器３４に送られ、Ａ／Ｄ変換器３４において、それぞれ、例えば１２ｂｉｔのＲＧＢデジタル画像データに変換された後、画像処理装置１４に出力される。
【００１７】
なお、スキャナ１２においては、フィルムＦに撮影された画像を読み取るに際し、低解像度で読み取るプレスキャン（第１回目の画像読取）と、出力画像の画像データを得るためのファインスキャン（第２回目の画像読取）との２回の画像読取を行う。
ここで、プレスキャンは、スキャナ１２が対象とするフィルムＦの全ての画像を、イメージセンサ３２が飽和することなく読み取れるように、あらかじめ設定されたプレスキャン読取条件で行われる。
一方、ファインスキャンは、プレスキャンデータから、その画像（コマ）の最低濃度よりも若干低い濃度でイメージセンサ３２が飽和するように、各コマ毎に設定されたファインスキャンの読取条件で行われる。なお、プレスキャンおよびファインスキャン出力画像信号は、解像度および出力画像信号レベルが異なる以外は、基本的に同様な画像データである。
【００１８】
なお、フォトプリンタ１０に用いられるスキャナ１２は、このようなスリット走査読取を行うものに限定されず、１コマのフィルム画像の全面を一度に読み取る面状読取を行うものであってもよい。
この場合には、例えばエリアＣＣＤセンサなどのエリアセンサを用い、光源２２とフィルムＦのとの間にＲ，ＧおよびＢの各色フィルタの挿入手段を設け、光源からの射出光の光路に挿入して、色フィルタを透過した読取光をフィルムＦ全面に照射して、透過光をエリアＣＣＤセンサに結像させてフィルム全画像を読み取ることを、Ｒ，ＧおよびＢの各色フィルタを切り換えて順次行うことで、フィルムＦに撮影された画像を３原色に分解して読み取る。
【００１９】
前述したように、スキャナ１２から出力されるデジタル画像データ信号は、本発明の画像処理方法を実施する画像処理装置１４に出力される。
図３に、この画像処理装置（以下、処理装置という）１４のブロック図が示される。ここで、処理装置１４は、スキャナ補正部３６、ＬＯＧ変換器３８、プレスキャン（フレーム）メモリ４０、ファインスキャン（フレーム）メモリ４２、プレスキャンデータ処理部４４、本発明の特徴とするリバーサル調仕上げのための画像処理を行うファインスキャンデータ処理部４６、および条件設定部４８を有する。
なお、図３は主に画像処理関連の部分を示すものであり、処理装置１４には、これ以外にも、処理装置１４を含むフォトプリンタ１０全体の制御や管理を行うＣＰＵ、フォトプリンタ１０の作動等に必要な情報を記憶するメモリ等が配設され、また、キーボード１８ａ、マウス１８ｂおよびボタン１８ｃなどの操作系１８やモニタ２０は、このＣＰＵ等（ＣＰＵバス）を介して各部分に接続される。なお、ボタン１８ｃは、カラーネガ画像が特定画像、例えば、風景シーンであることを指示し、画像処理装置１４が入力画像データにリバーサル調仕上げのための画像処理を施すリバーサル調仕上モードに入るためのモードキー（ボタン）として機能するものであってもよい。
【００２０】
スキャナ１２から処理装置１４に入力されたＲ，ＧおよびＢの画像信号、例えば１２ｂｉｔのデジタル画像データは、スキャナ補正部３６に入力される。
スキャナ補正部３６は、スキャナ１２のイメージセンサ３２の３ラインＣＣＤセンサ３２Ｒ，３２Ｇ，３２Ｂに起因する、ＲＧＢデジタル画像データの画素毎の感度バラツキや暗電流を補正するためにＤＣオフセット補正、暗時補正、欠陥画素補正、シェーディング補正等の読取画像データのデータ補正を行うものである。スキャナ補正部３６で画素毎の感度バラツキや暗電流の補正処理等が施されたデジタル画像信号は、ＬＯＧ変換器に出力される。
ＬＯＧ変換器３８は、対数変換処理してデジタル画像データを階調変換してデジタル画像濃度データに変換するものであって、例えば、ルックアップテーブル（ＬＵＴ）を用いて、スキャナ補正部２６で補正された例えば、１２ｂｉｔのデジタル画像データを変換して、例えば、１０ｂｉｔ（０〜１０２３）のデジタル画像濃度データに変換する。
【００２１】
ＬＯＧ変換器３８で変換されたデジタル画像濃度データは、プレスキャン画像データであればプレスキャンメモリ４０に、ファインスキャン画像データであればファインスキャンメモリ４２に、それぞれ記憶（格納）される。
プレスキャンメモリ４０は、スキャナ１２によるフィルムＦのプレスキャンによって得られ、各種のデータ補正および対数変換処理が施されたフィルムＦの１コマ全部の低解像度画像濃度データをＲＧＢの各色毎に格納または記憶するためフレームメモリである。プレスキャンメモリ４０は、フィルムＦの１コマのＲＧＢ３色の画像濃度データを格納できる容量が少なくとも必要であるが、複数コマ分の画像濃度データを格納できる容量を持つものであってもよいし、１コマ分の容量のメモリを多数備えるものであってもよい。
プレスキャンメモリ４０に記憶されたプレスキャン画像データは、プレスキャンデータ処理部４４に読み出される。
【００２２】
一方、ファインスキャンメモリ４２は、スキャナ１２によるフィルムＦのファインスキャンによって得られ、各種のデータ補正および対数変換処理が施されたフィルムＦの１コマ全部の高解像度画像濃度データをＲＧＢの各色毎に格納または記憶するためフレームメモリである。ファインスキャンメモリ４２は、少なくともフィルムＦの２コマの画像のＲＧＢ３色の画像濃度データを格納できる容量を持ち、１コマ分の画像濃度データを書き込んでいる間に、別の１コマ分の画像濃度データを読み出し、ファインスキャンデータ処理部４６において、風景シーンの場合に行う本発明の特徴とするリバーサル調仕上げ処理を含む様々な処理を同時に行うようにするのが好ましいが、本発明はこれに限定されず、１コマ分の画像濃度データを格納できる容量を持ち１コマづつ処理するためのものであってもよい。また、１コマ分の容量のメモリを多数備え、例えばトグルメモリとし利用できるものであってもよい。
ファインスキャンメモリ４２に記憶されたファインスキャン画像データは、ファインスキャンデータ処理部４６に読み出される。
【００２３】
プレスキャンメモリ４０に記憶されたプレスキャン画像データに、モニタ２０に表示するのに必要な種々の画像処理を施すプレスキャンデータ処理部４４は、画像処理部５０と、画像データ変換部５２とを有する。
ここで、画像処理部５０は、後述する条件設定部４８が設定した画像処理条件に従って、スキャナ１２によって読み取られ、プレスキャンメモリ４２に記憶された画像データに、所望の画質で、後述するモニタ２０のＣＲＴ表示画面にカラー画像が再生可能なように、ルックアップテーブル（以下、ＬＵＴで代表させる）やマトリックス（以下、ＭＴＸで代表させる）演算により、オートセットアップ処理や階調補正、色変換、濃度変換などの所定の画像処理を施すためのものである。
画像データ変換部５２は、画像処理部５０によって処理された画像データを、モニタ２０の解像度に合わせるために必要に応じて間引いて、同様に、３Ｄ（３次元）ＬＵＴ等を用いて、モニタ２０による表示に対応する画像データに変換して、モニタ２０に表示させるためのものである。
なお、画像処理部５０における処理条件は、後述する条件設定部４８で設定される。
【００２４】
一方、ファインスキャンメモリ４２に記憶されたファインスキャン画像データに、画像記録装置１６からカラープリントとして出力するのに必要な種々の画像処理および本発明のリバーサル調仕上げ処理を行うファインスキャンデータ処理部４６は、画像処理部５４と、画像データ変換部５６とを有する。
ここで、画像処理部５４は、後述する条件設定部４８が設定した画像処理条件に従って、スキャナ１２によって読み取られ、ファインスキャンメモリ４２に記憶された画像データに、カラープリントとして所望の濃度、階調および色調で、カラーぺーパ上にカラー画像、または本発明が目的とする風景シーンである時にリバーサル調に仕上げられた画像が再生可能なように、ＬＵＴ、ＭＴＸ演算器、ローパスフィルタ、加減算器などにより、オートセットアップ処理や、色バランス調整、階調調整、色調整、濃度調整、彩度調整、電子変倍や本発明の特徴とする硬調化および色相変更やシャープネス強調（エッジ強調；鮮鋭化）などの種々の画像処理を施すためのものであり、その詳細については、後述する。
【００２５】
画像データ変換部５６は、画像処理部５４によって処理された画像データを、例えば、３ＤＬＵＴ等を用いて、画像記録装置１６による画像記録に対応する画像データ変換して、画像記録装置１６に供給する。
画像記録装置１６は、ファインスキャンデータ処理部４６から出力される画像データに基づいて、風景シーンの場合にカラーネガプリント上にリバーサル調に仕上げられたカラー風景画像が再現された仕上がりプリントとして出力するためのものである。
なお、画像処理部５４における処理条件は、条件設定部４８で設定される。
条件設定部４８は、ファインスキャンの読取条件、プレスキャンデータ処理部４４およびファインスキャンデータ処理部４６における各種の処理条件、特に、本発明の特徴とするカラーネガ画像の風景シーンなどの特定画像のリバーサル調仕上げ処理条件を設定する。
この条件設定部４８は、セットアップ部５８、キー補正部６０およびパラメータ統合部６２を有する。
セットアップ部５８は、プレスキャン画像データ等を用いて、ファインスキャンの読取条件を自動的に設定してスキャナ１２に供給し、また、プレスキャンデータ処理部４４およびファインスキャンデータ処理部４６の画像処理条件、特にセットアップ条件を自動作成（演算）し、パラメータ統合部６２に供給する。
【００２６】
具体的には、セットアップ部５８は、プレスキャンメモリ４０からプレスキャン画像データを読み出し、プレスキャン画像データから、濃度ヒストグラムの作成や、平均濃度、ＬＡＴＤ（大面積透過濃度）、ハイライト（最低濃度）、シャドー（最高濃度）等の画像特徴量の算出を行う。
算出した画像特徴量から、その画像の最低濃度よりも若干低濃度でイメージセンサ３２（ラインＣＣＤセンサ３２Ｒ，３２Ｇ，３２Ｂ）が飽和するように、ファインスキャンの読取条件、例えば、光源２２の光量、可変絞り２４の絞り値、イメージセンサ３２の（各ラインＣＣＤセンサ３２Ｒ，３２Ｇ，３２Ｂの）蓄積時間等を設定する。なお、ファインスキャンの読取条件は、プレスキャンの読取条件に対して、イメージセンサの出力レベルに対応する全ての要素を変更してもよく、前記絞り値等のいずれか１つの要素のみを変更するものでもよく、絞り値と蓄積時間等の複数の要素のみを変更するものでもよい。
さらに、セットアップ部５８は、濃度ヒストグラムや画像特徴量と、必要に応じて行われるオペレータによる指示等に応じて、前述の色バランス調整や階調調整等のセットアップのための画像処理条件を自動設定する。
【００２７】
キー補正部６０は、キーボード１８ａやマウス１８ｂや操作系１８に設けられたキー（図示せず）によって設定された濃度（明るさ）、色、コントラスト、シャープネス、彩度等の調整量やマウス１８ｂで入力された各種の指示等に応じて、画像処理条件の調整量（例えば、ＬＵＴの補正量等）を算出し、パラメータを設定し、パラメータ統合部６２に供給するものである。なお、操作系１８には、予め、またはモニタ２０に表示されたカラー原画像を確認して、本発明のリバーサル調仕上げ処理を行う対象となる風景シーンなどの特定画像であることを指定する外部ボタン１８ｃやキーが設けられており、オペレータによる押圧によって特定画像の指定情報がキー補正部６０に入力される。また、フィルムＦがＡＰＳフィルムである場合には、キャリア２８で磁気情報から読み取られた撮影情報をキー補正部６０に入力することにより、特定画像の指定を自動的に行うようにしてもよい。
パラメータ統合部６２は、セットアップ部５８が設定した画像処理条件を受け取り、供給された画像処理条件を、プレスキャンデータ処理部４４の画像処理部５０およびファインスキャンデータ処理部４６の画像処理部５４に設定し、さらに、キー補正部６０で算出された調整量に応じて、各部分に設定した画像処理条件を補正（調整）し、あるいは画像処理条件を再設定する。
【００２８】
続いて、本発明の特徴とする、カラーネガ画像の風景シーンなどの特定画像のリバーサル調仕上げを行うファインスキャンデータ処理部４６の画像処理部５４について、詳細に説明する。
図４は、画像処理部５４の一実施例の詳細を示すブロック図である。図４に示すように、画像処理部５４は、ファインスキャンメモリ４２から読み出された画像データのオートセットアップを行い、濃度、色および階調を変換する色濃度階調変換手段６４、画像データの彩度を変換する彩度変換手段６６、画像データの画素数を変換するディジタル倍率変換（電子変倍）手段６８、カラー画像が風景シーンなどの特定画像であることが風景ボタン１８ｃの押圧や磁気情報などで指定されている時、画像データに本発明のリバーサル調仕上げ処理を施すリバーサル調仕上処理手段７０および画像データにダイナミックレンジ圧縮伸長処理（伸縮処理）、すなわち覆い焼き処理を施すダイナミックレンジ伸縮手段７２を備えている。
【００２９】
画像処理部５４において、色濃度階調変換手段６４は、条件設定部４８のセットアップ部５８で自動設定されたセットアップ条件をパラメータ統合部６２を介して受け取り、このセットアップ条件に従って、ＬＵＴ等を用いて、画像データのオートセットアップを行い、画像データから濃度データ、色データおよび階調データに変換するものである。また、彩度変換手段６６は、色濃度階調変換手段６４によって得られた画像データの彩度データをＭＴＸ演算等に従って変換するものである。また、電子変倍手段６８は、画像記録装置１６においてカラーペーパに出力するカラー画像のサイズに応じて、かつ出力画素密度に合わせて、彩度変換手段６６によって彩度変換された画像データを補間したり、間引いたりして、画像データの画素データ数を増減するものである。
【００３０】
リバーサル調仕上処理手段７０は、詳細は後述するが、対象とするカラー画像が風景シーンなどの特定画像である場合に電子変倍手段６８で所定出力サイズおよび出力画素密度に電子的に変倍された画像データを硬調化処理、色相変更処理および鮮鋭度補正処理を行って、すなわち画像の階調を立てるとともに、空のシアン色相などの特定色相をブルー色相などの所望色相に変更し、必要に応じて人物の肌色や空のシアン色などの特定色の鮮鋭度を落とすことにより、カラーネガ画像であってもカラーリバーサルプリントのように仕上げる処理を行うものである。なお、図示例では、リバーサル調仕上処理手段７０に入力される画像データは、電子変倍手段６８で電子変倍された画像データであるが、本発明はこれに限定されず、セットアップ済の画像データであれば、どのような画像データでもよい。ところで、このリバーサル調仕上処理手段７０は、対象とするカラー画像が風景シーンなどの特定画像でない場合やリバーサル調仕上げをしない場合には、電子変倍手段６８で電子的に変倍された画像データをスルーさせて、何の処理もしないようにしてもよいし、または画像データに鮮鋭度補正処理、特にシャープネス強調処理のみを施すようにしてもよい。
【００３１】
ダイナミックレンジ伸縮処理手段７２は、必要に応じて、リバーサル調仕上処理手段７０でリバーサル調仕上処理された画像データの低周波成分を抽出してボケ画像を生成し、ボケ画像信号を伸縮処理して原画像から減算して、画像のダイナミックレンジを出力媒体、例えばカラーペーパまたは出力デバイスの表現可能な濃度レンジに合わせて圧縮または伸長するもので、いわゆる覆い焼き効果を付与するものである。
なお、図示例においては、画像処理部５４は、カラー画像データに上記色濃度階調変換手段６４、彩度変換手段６６、電子変倍手段６８、リバーサル調仕上処理手段７０およびダイナミックレンジ伸縮処理手段７２の各手段による処理が施されるが、本発明はこれに限定されず、セットアップされた画像データにリバーサル調仕上処理手段７０によるリバーサル調仕上げを行うことができれば、その他の各手段は少なくとも一部または全部がなくてもよいし、これらの各手段による各処理の一部または全部は行われなくともよい。
【００３２】
ここで、リバーサル調仕上処理手段７０は、図５に示すように、本発明の最も特徴とする部分であって、硬調化処理手段７４と、色相変更処理手段７６と、シャープネス強調処理手段７８と、特定領域抽出処理手段８０とを有する。
硬調化処理手段７４は、風景ボタン１８ｃやキーボード１８ａおよびマウス１８ｂなどの操作系１８から直接、またはモニタ２０の表示カラー画像を確認して入力された風景シーン等の特定画像の情報を条件設定部４８のキー補正部６０に入力し、パラメータ統合部６２を介して受け取り、図６に示すように、セットアップ済画像データの階調カーブを上に凸にして画像を硬調化する処理を行うものである。すなわち、硬調化処理手段７４では、図６に示すように、階調カーブの傾き（γ）を立ててハイライトやシャドウをつぶすのではなく、入出力のハイライト点とシャドウ点は動かさず、入力のハイライト点近傍での階調カーブｃの立ち上がりを急峻とし、中間階調部分では階調カーブｃを上に凸とし、入力のシャドウ点近傍では寝かせて、階調カーブｃをボリュウムアップして画像の硬調化を行うものである。
硬調化処理手段７４では、図６に示す階調カーブｃを１次元ルックアップテーブル（１ＤＬＵＴ）化し、この１ＤＬＵＴを用いて、処理するのがよいが、これに限定されるわけではない。
【００３３】
次に、色相変更処理手段７６は、カラーネガ画像の空のシアン色相などの特定の色相をブルー色相などの所望の色相に色の見栄えが良く不自然さを感じさせないように変更するものである。ここで、色相変更処理手段７６で行われる色相変更処理方法は、特に制限的ではなく、従来公知の色修正方法や、カラーコレクション方法が適用できるが、例えば、本出願人に係る特開平９−８３８２４号公報に開示された色修正方法などを用いるのが好ましい。
ここで、本出願人に係る特開平９−８３８２４号公報に開示された色修正方法を用いる色相変更処理手段７６を色変更処理のフローを図７に示す。
色相変更処理手段７６では、図７に示すように、まず、硬調化処理手段７４で硬調化されたＲＧＢ画像信号から特定の色相、例えば風景シーンの空のシアン色を抽出（特定色相抽出手段によるステップＳ１）する。次に、抽出された特定の色相のＲＧＢ画像信号にＨＬＳ変換を行って、ＲＧＢ画像信号を疑似的な色相信号Ｈ、明度信号Ｌおよび彩度信号Ｓに変換（ＨＬＳ変換手段によるステップＳ２）する。例えば、色相信号Ｈは、０．０≦Ｈ＜６．０、明度信号Ｌは、０．０≦Ｌ≦１．０、彩度信号Ｓは、０．０≦Ｓ≦１．０の各範囲に設定され、Ｈ＝０，１，２，３，４，５は、それぞれＲ，Ｙ，Ｇ，Ｃ，Ｂ，Ｍの各色相を表すものとする。この時、ＨＬＳ変換は、ＲＧＢ画像信号の最大値、中間値、最小値から求められる。
【００３４】
こうして得られた各色相信号Ｈ、明度信号Ｌおよび彩度信号Ｓから、Ｒ（レッド）、Ｙ（イエロー）、Ｇ（グリーン）、Ｃ（シアン）、Ｂ（ブルー）、Ｍ（マゼンタ）の各色相の予め設定された色修正強度関数を用いて、各色相Ｈ方向、明度Ｌ方向、彩度Ｓ方向の強度信号（以下、単に強度という）を算出し、その総合強度を算出（強度算出手段によるステップＳ３）する。
ここで、予め設定される色修正強度関数が、色相方向強度関数Ｆｉ  （Ｈ）および明度・彩度方向強度関数Ｆｉ  （Ｌ，Ｓ）（ｉ＝Ｒ，Ｙ，Ｇ，Ｃ，Ｂ，Ｍ）であり、算出される各強度信号が、色相Ｈ方向強度信号ｖｈｉ  および明度Ｌ・彩度Ｓ方向強度信号ｖａｉ  （ｉ＝Ｒ，Ｙ，Ｇ，Ｃ，Ｂ，Ｍ）であるとすると、ｉ色に対する色相Ｈ強度ｖｈｉ  および明度Ｌ・彩度Ｓ強度ｖａｉ  は、下記式（１）および（２）で算出される。
ｖｈｉ  ＝Ｆｉ  （Ｈ）                          ……（１）
ｖａｉ  ＝Ｆｉ  （Ｌ，Ｓ）                      ……（２）
こうして、色相Ｈ強度ｖｈｉ  および明度Ｌ・彩度Ｓ強度ｖａｉ  を、ｉ＝Ｒ，Ｙ，Ｇ，Ｃ，Ｂ，Ｍの６色についてそれぞれ算出することができる。
【００３５】
こうして得られた色相Ｈ強度ｖｈｉ  および明度Ｌ・彩度Ｓ強度ｖａｉ  からｉ色の総合強度（ｉ修正強度信号）を、下記式（３）によって算出することができる。
ｖｉ  ＝ｖｈｉ  ・ｖａｉ                          ……（３）
こうして、ｉ＝Ｒ，Ｙ，Ｇ，Ｃ，Ｂ，Ｍの６色の総合強度を求めることができる。
ところで、上記式（１）および（２）は、強度関数Ｆが連続関数として与えられている場合には、強度関数をそのまま演算すればよいが、離散値、例えばＬＵＴ等のテーブルとして与えられている場合には、２次元直線補間などを用いて演算すればよい。本発明においては、色相方向強度テーブル（２ＤＬＵＴ）および明度・彩度方向強度テーブル（２ＤＬＵＴ）を予め求めて、条件設定部４８または色相変更処理手段７６に予め設定しておくのが好ましい。
上述した色相方向強度関数Ｆｉ  （Ｈ）および明度・彩度方向強度関数Ｆｉ  （Ｌ，Ｓ）は、上記特開平９−８３８２４号公報に開示されているように、カラーネガ画像上の空のシアン色などの特定の色相の画像信号と色相変更処理される所望の色相の画像信号とから、あるいはこれらの色相を含むカラーチャートをスキャナ等で読み取って得た画像信号等を用いて作成すればよい。
【００３６】
一方、予め、上述の色相方向強度関数Ｆｉ  （Ｈ）および明度・彩度方向強度関数Ｆｉ  （Ｌ，Ｓ）（ｉ＝Ｒ，Ｙ，Ｇ，Ｃ，Ｂ，Ｍ）などの色修正強度関数とともに、ＲＧＢ各色に対するＲ，Ｙ，Ｇ，Ｃ，Ｂ，Ｍの各色相の修正量（カラーコレクション係数）ＲＣｉｊ（ｉ＝Ｒ，Ｙ，Ｇ，Ｃ，Ｂ，Ｍ，ｊ＝Ｒ，Ｇ，Ｂ）が設定（修正量設定手段によるステップ４）される。
ここで設定された上記各色相Ｒ，Ｙ，Ｇ，Ｃ，Ｂ，Ｍの修正量ＲＣｉｊとステップＳ３で算出された総合強度ｖｉ  とを下記式（４）によって乗算して、ｊ（ｊ＝Ｒ，Ｇ，Ｂ）色に係る単位色ｉ修正信号ｕｉｊ（ｉ＝Ｒ，Ｙ，Ｇ，Ｃ，Ｂ，Ｍ，ｊ＝Ｒ，Ｇ，Ｂ）を算出する。
ｕｉｊ＝ｖｉ  ・ＲＣｉｊ                          ……（４）
続いて、ｊ色に係る単位色ｉ修正信号ｕｉｊ（ｉ＝Ｒ，Ｙ，Ｇ，Ｃ，Ｂ，Ｍ，ｊ＝Ｒ，Ｇ，Ｂ）を下記式（５）に従って加算して、色相変更に伴うｊ（ｊ＝Ｒ，Ｇ，Ｂ）色に係る各画像信号の変化量Δｊ（ｊ＝Ｒ，Ｇ，Ｂ）を算出（変化量算出手段によるステップ５）する。
Δｊ＝ｕＲｊ＋ｕＹｊ＋ｕＧｊ＋ｕＣｊ＋ｕＢｊ＋ｕＭｊ    ……（５）
こうしてＲＧＢ各色の画像信号の変化量ΔＲ、ΔＧ、ΔＢを求めることができる。
【００３７】
最後に、こうしてＲＧＢ各色の画像信号の変化量ΔＲ、ΔＧ、ΔＢを下記式（６）のようにＲＧＢ原画像信号にそれぞれ加算して所望色相に色相変更されたＲＧＢ濃度信号Ｒ’，Ｇ’，Ｂ’を生成する。
Ｒ’＝Ｒ＋ΔＲ
Ｇ’＝Ｇ＋ΔＧ                              ……（６）
Ｂ’＝Ｂ＋ΔＢ
このようにして、色相変更処理手段７６は、風景シーンの空のシアン色などの特定の色相がブルー色などの所望の色相に変更されたＲＧＢ画像信号を得ることができる。
【００３８】
こうして色相変更処理手段７６で得られた色相変更ＲＧＢ画像信号（画像データ）は、シャープネス強調処理手段７８に入力される。
このシャープネス強調処理手段７８は、カラー画像のエッジや輪郭を強調する処理、いわゆるシャープネス強調処理を行うものである。ここでシャープネス強調処理手段７８は、カラー画像全体の鮮鋭度を強調するものであってもよいが、人物の肌色や空のシアン色などの特定色の特定領域の鮮鋭度を低下させるように鮮鋭度強調処理、いわゆる鮮鋭度補正処理を行うものであるのが好ましい。特にリバーサル仕上げ処理を行う場合には、硬調化処理も同時に行われるし、カラーリバーサルフィルム画像からのカラーリバーサルプリントは、カラーネガプリントに比べ、元々ハイライト側のノイズが少なく、ハイライト側の粒状性の劣化も少ないものであるので、中間領域からハイライト側において、粒状性が目立ちやすい人物の肌や空のシアンなどの特定領域では、鮮鋭度を落とすのが好ましい。シャープネス強調処理方法は、特に制限的ではなく、従来公知のシャープネス強調方法が適用できるが、例えば、アンシャープマスク（ＵＳＭ）方式や粒状抑制シャープネス方式、例えば、米国特許第４８１２９０３号公報、特開昭６３−２６７８３号公報、特表平３−５０２９７５号公報および本出願人に係る特開平９−２２４６０号公報に開示された鮮鋭度強調方式などが好ましい。
【００３９】
ここで、アンシャープマスク（ＵＳＭ）方式のシャープネス強調処理は、所定のマスクサイズの周辺画素との平均を行う平均化処理を行って、カラー原画像信号からアンシャープマスク信号Ｓｕｓを生成し、アンシャープマスク処理を下記式（７）によってシャープネス信号Ｓｓを生成するものである。
Ｓｓ＝Ｓｏｒｇ＋Ｋ・（Ｓｏｒｇ−Ｓｕｓ）      ……（７）
ここで、Ｓｏｒｇはカラー原画像信号であり、Ｋはシャープネス強調係数である。
このアンシャープマスク（ＵＳＭ）方式のシャープネス強調処理においては、上記式（７）のシャープネス強調係数Ｋの値を、後述する特定領域抽出手段８０によって抽出された人物の肌色や空のシアン色の特定領域において調整する、具体的には小さくすることにより、シャープネス強調の度合い、すなわち鮮鋭度を調整する、すなわち落とすことができる。
【００４０】
一方、粒状抑制シャープネス方式において、特表平３−５０２９７５号公報に開示されている、粒状抑制シャープネス強調処理は、カラー画像から局所分散方式によってカラー画像の平坦部と、テクスチャおよびエッジ部とを検出して、上記式のシャープネス強調係数Ｋの値を平坦部で小さくし、テクスチャおよびエッジ部で大きくすることにより、雑音（ノイズ）や粒状を抑制し、テクスチャやエッジ（輪郭）を強調することにより鮮鋭度を強調するものである。従って、本発明においてこの方法を用いる場合には、用いられるシャープネス強調係数Ｋの値を平坦部とテクスチャおよびエッジ部とで変えるとともに、上述の場合と同様に、抽出された画像の特定領域で平坦部よりさらに小さくすることにより、粒状性の劣化を抑制して鮮鋭度の調整を行い、リバーサル調に仕上げることができる。
【００４１】
また、米国特許第４８１２９０３号公報および特開昭６３−２６７８３号公報などに開示された粒状抑制シャープネス強調処理は、カラー画像信号にフィルタリング処理等を施して、低周波成分と高周波成分に分離し、高周波成分のみに対して強調する処理を施して合成するものであるので、高周波成分の強調度合い、例えば強調係数やゲインのみならず低周波成分に施される処理の強度、例えば強度係数やゲインを抽出された画像の特定領域において調整、例えば小さくすることによって、リバーサル調仕上げのための鮮鋭度の調整を行うことができる。
また、本出願人の出願に係る特開平９−２２４６０号公報に開示された粒状抑制シャープネス強調処理は、カラー原画像信号を低周波成分、中間周波数成分および高周波成分に分解し、好ましくはさらに中間周波数成分および高周波成分から輝度成分を抽出して、輝度成分のみに基づいて、高周波成分を強調し、中間周波数成分を抑制した後に、低、中間および高周波数の各周波数成分を合成するものであるので、上述の例と同様に、設定された各周波数成分のゲインや処理の強度を抽出された画像の特定領域において調整、例えば小さくすることによって、リバーサル調仕上げのための鮮鋭度の調整を行うことができる。
【００４２】
ここで、特定領域抽出手段８０は、リバーサル調仕上処理手段７０に入力されているカラー画像データを用いて、パラメータ統合部４８から画像処理条件として設定された鮮鋭度を落とす特定領域の特定色、例えば、人物の肌色、空のシアン色の色度範囲についての情報に基づいて設定された特定色を持つ画素を抽出し、その座標（位置）情報を抽出することを繰り返して、特定領域全体を抽出し、特定領域の全座標の抽出するものである。
このようにして特定領域抽出手段８０において抽出された特定領域の座標（位置）情報は、シャープネス強調処理手段７８に送られ、特定領域抽出手段８０で抽出された特定領域の鮮鋭度が、特定領域以外の鮮鋭度より低下するようなシャープネス強調処理が施される。
なお、図示例では、特定領域抽出手段８０による特定領域の抽出に用いられる画像データ信号は、電子変倍手段６８で電子的に変倍され、リバーサル調仕上処理手段７０に入力されたカラー画像データ信号であるが、本発明はこれに限定されず、ファインスキャンメモリ４２から読み出された画像データであっても、画像処理部５４の種々の手段で処理された画像信号であってもよいし、プレスキャンメモリ４２から読み出された画像データであっても、プレスキャンデータ処理部４４の画像処理部５０で種々の処理が施された画像信号であってもよいし、画像データ変換部５２で処理され、モニタ２０に表示するための画像信号であってもよい。
【００４３】
ここで、特定領域の抽出の方法には特に限定はなく、いわゆる主要部抽出方法として公知の方法であればどのような方法でも用いることができる。例えば、オペレータがマウス１８ｂ等を用いて主要部中の一点を指示し、色の連続性等から主要部を抽出する方法、オペレータがマウス１８ｂを用いて切り出す方法、公知の主要部抽出アルゴリズムを用いて自動抽出する方法等が例示される。
また、主要部の自動抽出アルゴリズムとしては、例えば、特開平９−１３８４７０号公報に開示される、特定色を抽出する方法、特定形状パターンを抽出する方法、背景に相当すると推定される領域を除去する方法等、複数の異なる主要部（主要部）抽出方法をあらかじめ評価して重みを定め、各抽出方法で主要部を抽出して、抽出された主要部を定めた重みで重み付けし、その結果に応じて主要部を判定、抽出する方法が例示される。また、これ以外にも、特開平４−３４６３３３号、同５−１５８１６４号、同５−１６５１２０号、同６−１６０９９３号、同８−１８４９２５号、同９−１０１５７９号、同９−１３８４７１号等の各公報に開示される主要部抽出方法も好適に利用可能である。
【００４４】
なお、本発明において、リバーサル調仕上処理手段７０が処理対象とする特定画像は、リバーサル調の仕上げ要求されるカラーネガ画像であれば、特に制限的ではないが、例えば、風景シーンのネガ画像等が好ましい。
また、色相変更処理手段７６による色相変更処理の対象となる特定色も、特定画像において、リバーサル調仕上げによって見栄えが良くなり、不自然な感じを与えない色相であれば、特に制限的ではないが、例えば風景シーンの場合には、特定色としては空のシアン色が好ましく、所望色としてはブルー色が好ましい。本発明において鮮鋭度を落とすために特定領域抽出手段８０で抽出する特定領域は、リバーサル調仕上処理手段７０によるリバーサル調仕上げ、特に硬調化処理手段７４による硬調化処理やこのシャープネス強調処理手段７８による鮮鋭度強調処理によって、粒状などのノイズが劣化し、粒状が目立つ特定の色を持つ領域であれば、どのような領域でもよいが、例えば、人物の肌色、良く晴れた青空のシアン色等のようなゆるやかなグラデーションを持つ重要色が占める対象被写体、主要被写体であるのが好ましい。
【００４５】
以上のようにして、リバーサル調仕上処理手段７０の特定領域抽出手段８０による抽出特定領域のみの鮮鋭度が低下したシャープネス強調処理手段７８によるシャープネス強調処理が施された画像データ信号は、風景シーンのカラーネガ画像であっても、カラーリバーサルプリントのように、ハイライト側にある人物の肌色などの特定領域の粒状が目立たず、シアン色の空が見えのよいブルー色に色相変更され、かつ全体に硬調化された、いわゆるリバーサル調に仕上げられたカラー再生画像を得ることができるカラー画像データ信号とすることができる。
なお、上述した例では、リバーサル調仕上処理手段７０の特定領域抽出手段８０で特定領域を抽出しているが、本発明はこれに限定されず、条件設定部４８において特定領域の抽出を行ってもよい。
リバーサル調仕上処理手段７０およびこれを用いる画像処理装置は、基本的に以上のように構成される。
【００４６】
ところで、図示例の画像処理装置１４においては、プレスキャンデータ処理部４４の画像処理部５０とファインスキャンデータ処理部４６の画像処理部５４とは異なる処理を行っているが、解像度の違いを除いて全く同様の処理を行うように構成してもよいし、処理済の画像をモニタ２０に表示するように構成してもよい。
また、図示例においては、デジタルフォトプリンタ１０の画像処理装置１４のファインスキャン画像データ処理部４６の画像処理部５４のリバーサル調仕上処理手段７０によって、本発明のカラーネガ画像をリバーサル調に仕上げる画像処理方法を行っているが、本発明はこれに限定されず、例えば図８に示すように、単に、入力カラーネガ画像データ信号をセットアップ後、リバーサル調仕上処理を行って出力する画像処理方法であってもよい。
【００４７】
本発明に係る画像処理方法を実施する画像処理装置およびこれを用いるデジタルフォトプリンタは、基本的に以上のように構成されるが、画像処理装置およびデジタルフォトプリンタの作用を以下に説明する。
【００４８】
オペレータがカラーネガフィルムＦ（読取対象コマ）に対応するキャリア２８をスキャナ１２に装填し、キャリア２８の所定位置にカラーネガフィルムＦをセットし、操作系１８のキーボード１８ａやマウス１８ｂなどによって仕上げ情報や作成するプリントサイズ等の必要な指示を入力するとともに、読取対象コマが風景シーンなどの特定画像である時にはボタン１８ｃを押圧して画像処理装置１４の画像処理モードをリバーサル調仕上処理モードにした後に、リバーサル調仕上げ処理カラーネガ画像のプリント作成を開始する。
これにより、スキャナ１２の可変絞り２４の絞り値やイメージセンサ（ラインＣＣＤセンサ３２Ｒ，３２Ｇ，３２Ｂ）３２の蓄積時間がプレスキャンの読取条件に応じて設定される。その後、キャリア２８がフィルムＦをプレスキャンに応じた速度で副走査方向に搬送して、プレスキャンが開始され、フィルムＦがスリット走査されて投影光がイメージセンサ３２に結像して、フィルムＦに撮影された画像がＲ，ＧおよびＢに分解されて光電的に低解像度で読み取られる。
なお、ここでは、プレスキャンおよびファインスキャンは、１コマずつ行ってもよく、全コマあるいは所定の複数コマずつ、連続的にプレスキャンおよびファインスキャンを行ってもよい。以下の例では、説明を簡潔にするために、１コマの画像読取を例に説明を行う。
【００４９】
プレスキャンによるイメージセンサ３２の出力信号は、アンプ３３で増幅されて、Ａ／Ｄ変換器３４に送られ、デジタル画像データとされた後に、画像処理装置１４に出力される。
画像処理装置１４に入力されたデジタル画像データは、スキャナ補正部３６でイメージセンサ３２の暗電流などの所定の補正を施した後、ＬＯＧ変換器３８に送られ、プレスキャンに対応する濃度範囲で、例えば、濃度Ｄで４の濃度範囲を１０ｂｉｔのデータに割り付けるように、ＬＵＴを用いて変換され、プレスキャン画像データとされ、プレスキャン画像データは、プレスキャンメモリ４０に記憶される。
プレスキャンメモリ４０にプレスキャン画像データが記憶されると、条件設定部４８のセットアップ部５８がこれを読み出し、濃度ヒストグラムの作成、ハイライトやシャドウ等の画像特徴量の算出等を行い、ファインスキャンの読取条件を設定して、スキャナ１２に供給し、また、階調調整やグレイバランス調整やセットアップ等の各種の画像処理条件を設定し、パラメータ統合部６２に供給する。セットアップ条件を含む画像処理条件を受け取ったパラメータ統合部６２は、これを、プレスキャンデータ処理部４４およびファインスキャンデータ処理部４６の所定部分（ハードウエアおよびソフトウエア）に設定する。
【００５０】
検定を行う場合には、プレスキャン画像データがプレスキャンデータ処理部４４によってプレスキャンメモリ４０から読み出され、画像処理部５０において設定された画像処理条件で画像処理され、次いで、画像データ変換部５２で変換され、シュミレーション画像としてモニタ２０に表示される。
オペレータは、モニタ２０の表示を見て、画像すなわち処理結果の確認（検定）を行い、必要に応じてキーボード１８ａに設定された調整キー等を用いて色、濃度、階調等を調整するとともに、キーボード１８ａやマウス１８ｂを用いて、特定領域抽出手段８０による特定領域抽出のための特定色やその色度範囲を指定する。
この調整の入力は、キー補正部６０に送られ、キー補正部６０は調整入力に応じた画像処理条件の補正量を算出し、これをパラメータ統合部６２に送る。また指定または入力された位置や方向の情報は、キー補正部６０に送られ、キー補正部６０からパラメータ統合部６２に送られる。パラメータ統合部６２は、送られた補正量に応じて、画像処理部５０および５４のＬＵＴやＭＴＸ等を補正するとともに、送られた特定色やその色度範囲を画像処理部５４のリバーサル調仕上処理手段７０に送る。従って、この補正すなわちオペレータによる調整入力に応じて、モニタ２０に表示される画像も変化する。
【００５１】
オペレータは、このコマの画像が適正（検定ＯＫ）であると判定すると、キーボード１８ａ等を用いてプリント開始を指示する。これにより、画像処理条件が確定し、スキャナ１２において可変絞り２４の絞り値等が設定されたファインスキャンの読取条件に応じて設定されると共に、キャリア２８がファインスキャンに対応する速度でフィルムＦを搬送し、ファインスキャンが開始される。
なお、検定を行わない場合には、パラメータ統合部６２によるファインスキャンデータ処理部４６の画像処理部５４への画像処理条件の設定を終了した時点で画像処理条件が確定し、ファインスキャンが開始される。
ファインスキャンは、可変絞り２４の絞り値等の読取条件が異なる以外はプレスキャンと同様に行われ、イメージセンサ３２からの出力信号はアンプ３３で増幅されて、処理装置１４のＡ／Ｄ変換器３４でデジタル濃度データとされ、スキャナ補正部３６で所定の処理を施され、ＬＯＧ変換器３８に送られる。
ＬＯＧ変換器３８において、ファインスキャンデジタル画像データはプレスキャンよりも高い濃度分解能で処理され、例えば、濃度Ｄで２の濃度範囲を１０ｂｉｔのデータに割り付けるようにＬＵＴで変換され、ファインスキャン画像データとされた後、ファインスキャンメモリ４２に送られる。
【００５２】
画像処理部５４においては、まず、色濃度階調変換手段６４により、パラメータ統合部６２から送られたセットアップ条件や補正または選択されたルックアップテーブルに従って、ファインスキャン画像データの濃度データ、色データおよび階調データが変換される。次に、彩度変換手段６６によって、マトリックス演算にしたがって、画像信号の彩度データが変換される。ついで、カラーペーパに出力するカラー画像のサイズに応じて、電子変倍手段６８により、画像データ信号の画素データ数が増減された後、画像信号は、リバーサル調仕上処理手段７０に入力される。
【００５３】
リバーサル調仕上処理手段７０では、入力されたカラーネガ画像データ信号に対して本発明の特徴とするリバーサル調仕上処理を施す。すなわち、リバーサル調仕上処理手段７０においては、硬調化処理手段７４は、入力カラーネガ画像データ信号をパラメータ統合部６２で指定された階調変換テーブル（例えば、図６参照）を用いて硬調化処理する。
次に、色相変更処理手段７６は、硬調化処理手段７４で作成された硬調化カラーネガ画像データ信号の特定色（例えば、空のシアン色）を所望色（例えば、ブルー色）に色相変更を行う。
続いて、色相変更処理手段７６によって色相変更が行われたネガ画像データ信号は、シャープネス強調処理手段７８に入力され、シャープネス強調処理手段７８において、特定領域成抽出手段８０で抽出された人物の肌色などの特定色の特定領域の鮮鋭度を低下させたシャープネス強調処理を行って、リバーサル調仕上げ処理されたネガ画像データ信号を生成する。
【００５４】
このようにしてリバーサル調仕上処理手段７０で得られた画像データ信号は、リバーサル調仕上処理により、カラーネガ画像の特定領域の鮮鋭度が落とされ、特定色の領域の色相が見えの良い色相に自然に変更され、画像全体が硬調化されたリバーサル調に仕上げられた自然で好ましい印象のカラー画像としてカラーネガプリント上に再現されるものである。このようなリバーサル調仕上処理手段７０で生成されたリバーサル調仕上処理画像データ信号は、ダイナミックレンジ圧縮伸長（伸縮）処理７２に入力される。ダイナミックレンジ伸縮処理７２では、ローパスフィルタなどでフィルタリング処理によって生成されたボケ画像信号を拡宿して原画像信号から減算して再生される出力媒体や出力デバイスに応じた濃度レンジに合うように圧縮または伸長して、カラー画像信号のダイナミックレンジを伸縮処理する。
こうしてファインスキャン処理部４６の画像処理部５４において生成されたリバーサル調仕上処理画像信号は、画像データ変換部５６に入力されて、画像出力用画像データに変換された後、画像処理装置１４から、画像記録装置１６に出力される。
【００５５】
画像記録装置１６は、入力画像データに応じて感光材料（印画紙）を露光して潜像を記録するプリンタ（焼付装置）と、露光済の感光材料に所定の処理を施４てプリントとして出力するプロセサ（現像装置）とを有して構成される。
プリンタでは、例えば、感光材料をプリントに応じた所定長に切断した後に、バックプリントを記録し、次いで、感光材料の分光感度特性に応じたＲ露光、Ｇ露光およびＢ露光の３種の光ビームを処理装置１４から出力された画像データに応じて変調して主走査方向に偏向すると共に、主走査方向と直交する副走査方向に感光材料を搬送することにより、前記光ビームで感光材料を２次元的に走査露光して潜像を記録し、プロセサに供給する。感光材料を受け取ったプロセサは、発色現像、漂白定着、水洗等の所定の湿式現像処理を行い、乾燥してプリントとし、フィルム１本分等の所定単位に仕分して集積する。
【００５６】
以上、本発明の画像処理方法について詳細に説明したが、本発明は上記実施例に限定はされず、本発明の要旨を逸脱しない範囲において、各種の改良および変更を行ってもよいのはもちろんである。
【００５７】
【発明の効果】
以上詳述したように、本発明によれば、カラー画像を光電的に読み取り、得られたカラー画像信号にデジタル画像処理を施す際に、カラーネガ画像、特に風景シーンなどの特定画像全体を硬調化し、特定画像の空のシアンなどの特定色を色の見えの良いブルー色などの所望色に色相変更し、必要に応じて、人物の肌色等の重要色の特定領域の鮮鋭度を落とすことにより、再生されるカラーネガ画像をリバーサル調に仕上げ、色のりの良い自然な印象で好ましく再現された画像を得ることのできる処理を施すことができる。
【図面の簡単な説明】
【図１】本発明の画像処理方法を実施する画像処理装置を適用するデジタルフォトプリンタの一実施例のブロック図である。
【図２】（ａ）は、図１に示されるデジタルフォトプリンタに装着されるキャリアの一実施例を説明するための概略斜視図、（ｂ）は図１に示されるデジタルフォトプリンタのイメージセンサの一実施例の概念図である。
【図３】図１に示されるデジタルフォトプリンタの本発明の画像処理方法を実施する画像処理装置一実施例のブロック図である。
【図４】図３に示される画像処理装置ファインスキャン画像データ処理部の画像処理部一実施例のブロック図である。
【図５】図４に示される画像処理部のリバーサル調仕上処理手段の一実施例のブロック図である。
【図６】図５に示されるリバーサル調仕上処理手段で行われる硬調化処理を説明するための階調変換カーブの一例のグラフである。
【図７】図５に示されるリバーサル調仕上処理手段で行われる色相変更処理方法のフローの一例を示すフローチャートである。
【図８】本発明の画像処理方法の別の一例を示すフローチャートである。
【符号の説明】
１０  （デジタル）フォトプリンタ
１２  スキャナ
１４  （画像）処理装置
１６  画像記録装置
１８  操作系
１８ａ  キーボード
１８ｂ  マウス
１８ｃ  ボタン（リバーサル調仕上処理モードキー）
２０  モニタ
２２  光源
２４  可変絞り
２６  拡散ボックス
２８  キャリア
３０  結像レンズユニット
３２  イメージセンサ
３２Ｒ，３２Ｇ，３２Ｂ  ラインＣＣＤセンサ
３４  Ａ／Ｄ変換器
３６  スキャナ補正部
３８  ＬＯＧ変換器
４０  プレスキャン（フレーム）メモリ
４２  ファインスキャン（フレーム）メモリ
４４  プレスキャンデータ処理部
４６  ファインスキャンデータ処理部
４８  条件設定部
５０，５４  画像処理部
５２，５６  画像データ変換部
５８  セットアップ部
６０  キー補正部
６２  パラメータ統合部
６４  色濃度階調変換手段
６６  彩度変換手段
６８  電子変倍（ディジタル倍率変換）手段
７０  リバーサル調仕上処理手段
７２  ダイナミックレンジ圧縮伸長（伸縮）手段
７４  硬調化処理手段
７６  色相変更処理手段
７８  シャープネス強調処理手段
８０  特定領域抽出手段
【図１】
0003584389.tif 000002
【図２】
0003584389.tif 000003
【図３】
0003584389.tif 000004
【図４】
0003584389.tif 000005
【図５】
0003584389.tif 000006
【図６】
0003584389.tif 000007
【図７】
0003584389.tif 000008
【図８】
0003584389.tif 000009